(57)【特許請求の範囲】
【請求項１】
回転タブレットマシーン、マシンコンピュータが内蔵されている制御キャビネット、好ましくは持ち運び可能であり、タブレットマシーンを操作し、緊急停止を含むデーターをストアしているサービスコンピュータを内蔵する制御デスク、該制御デスクに接続されたプリンター、タブレット検査装置や汚れ除去装置等の周辺機器、からなるタブレット製造プラントであって、該制御キャビネット、制御デスク、及び周辺機器は、電源を有し、タブレットマシーンと１つのリンクによって接続されており、該制御デスク（１６）と該タブレットマシーン（１０）は、それぞれトランシーバーを有し、２つのワイヤレス伝達リンク（３０、３２）が該トランシーバー間に構成され、その１つはデーターや制御信号を移送するために設計され、他の１つは緊急停止信号を移送するために設計されているものにおいて、少なくとも該制御デスク（１６）は内部電源のみを有することを特徴とするタブレット製造プラント。
【請求項２】
該電源は、バッテリー、燃料電池、又はその他の電源である請求項１記載のタブレット製造プラント。
【請求項３】
該制御デスク（１６）は、ベース（４０）、支柱（４４）、該支柱上の机状の制御パネル（４６）、及び該ベース内の蓄電池（４８）を有しているものである請求項１又は２記載のタブレット製造プラント。
【請求項４】
２つのアンテナ（５０）が該机状の制御パネル（４６）の上部に設けられているものである請求項３記載のタブレット製造プラント。
【請求項５】
プリンター（２２）が該制御デスク（１６）とは別個に設けられ、制御デスク（１６）とプリンター間のリンクであって、第３のワイヤレスのデーター及び信号伝達リンク（３４）を確立するトランシーバーを有しているものである請求項１乃至３のいずれか１項に記載のタブレット製造プラント。
【請求項６】
少なくとも１つの周辺機器（１８、２０）は、それら機器とタブレットマシーン（１０）間のリンクであって、更なる信号伝達及びデータリンク（３６、３８）を構成するためのトランシーバーを有しているものである請求項１乃至５のいずれか１項に記載のタブレット製造プラント。
【請求項７】
少なくとも１つの周辺機器（２２、１８、２０）は、それ自身の蓄電装置を有しているものである請求項６記載のタブレット製造プラント。
【発明の詳細な説明】
【技術分野】
【０００１】
本発明は、請求項１の前半部によるタブレット（錠剤）製造プラントに関するものである。
【背景技術】
【０００２】
そのような製造プラントの主要部は、その制御キャビネットがマシンコンピュータを収納しており、制御キャビネットを介して、エネルギーを供給されるだけでなく、制御命令も受信する回転タブレットマシーンである。そのようなプラントは、操作する者によって選択的に引き出せる１連の制御パラメータをストアしている制御デスクも有している。更に、製造と１回分のデータも制御デスクに記録される。制御デスクがプリンターを持つものも知られている。この種の装置は、包装に先立って、回転タブレットマシーンから排出されたタブレットが移送される凹凸及び汚れ除去装置を有している。最後に、凹凸及び汚れ除去装置に接続された検査装置を有している。タブレットは、タブレットの重さ、高さ、圧縮性等を検査するため、該凹凸及び汚れ除去装置からの所定の間隔で抜き取られる。
【０００３】
それら周辺装置は電源が必要である。公知のものでは、それらは、制御キャビネットから電源を供給するため、適当なターミナルを有するタブレットマシーンにケーブル等で接続されている。主電源は、制御キャビネットを介して供給されるのである。しかし、周辺機器それぞれのメインケーブルで供給するものもある。更に、タブレットマシーンと制御キャビネットとの間のデータや命令信号の伝達のために、周辺機器はシングルケーブルを介してタブレットマシーンに接続しているものもある。また、いわゆる制御デスクとタブレットマシーンや制御キャビネット間の緊急停止のための別個のリンク（データや信号を送受信する伝達経路、手段）が存在する。操作する者は、制御デスクのスイッチを作動させることによって装置をすぐに停止できる位置に居なければならない。
【発明の開示】
【発明が解決しようとする課題】
【０００４】
タブレットマシーンに取り付けられたり、差し込まれたケーブルは、医薬品の製造ルームには特に好ましくない。開放的に取り付けられたケーブルは、クリーンにすることが難しい。なぜならば、それらは、つまづくような障害物であり、個々の機器への接近にも障害である。
【０００５】
本発明の目的は、接近性や柔軟性を改良したタブレットの製造プラントを提供することにある。
【課題を解決するための手段】
【０００６】
本発明プラントでは、制御デスクとタブレットマシーンは２つのワイヤレス伝達リンクを構成するトランシーバーを有している。その１つは、データーと制御信号の移送のためのもので、他の１つは緊急停止信号の伝達のためのものである。更に、制御デスクは、バッテリー、燃料電池、その他の電気システム等の電源装置を有していてもよい。
【０００７】
本発明プラントでは、制御デスクはまったくケーブル接続なしにすることもできる。それゆえ、制御デスクは、部屋の中のどの場所にも置くことができ、ケーブル接続の必要性を考慮することなく他の場所に移動させることができる。これは、プラントへの接近性を増大でき、衛生状態を改良する。
【０００８】
本発明の観点から、プリンターは、制御デスクとは別個に設けられ、制御デスクとプリンター間のリンクであって、第３のワイヤレスのデーター移送及び信号伝達リンクを作るトランシーバーを有している。このようにして、プリンターは製造ルームの中でも外でも、どこにでも置くことができる。プリンターには、それ自身の電源が設けられていても、製造ルームの外に設けた場合にはメイン電源に接続していてもよい。
【０００９】
更に、汚れ除去装置や検査装置等のその他の周辺機器は、トランシーバーを有していても、タブレットマシーンと非接触又はワイヤレスリンクを介して接続してもよい。これらの装置は、これら自身の蓄電器を有しているほうがよい。それによって、プラントに移動性と柔軟性を与え、ケーブル接続によるつまづき等の障害を除去できる。電源として必要なケーブル接続は、タブレットマシーンと制御キャビネット間の１つだけである。それゆえ、本発明は、プラントの個々の機器を空間的な要求への適合において、ランダムに位置させることができるようになる。本発明は、特に衛生条件を大きく改善する。
【００１０】
移動可能ベース上に支柱を介して制御デスクを設け、操作する者によって所望の高さにテレスコピックに調整可能にすることは公知である。操作する者の望みによって操作の高さを記憶しておくこともできる。そうすることによって、それぞれの操作員がボタン押すだけで制御パネルの高さを調整することができる。この観点から、制御デスクのベースは、バッテリーのような蓄電器を有し、２つのワイヤレス伝達リンクのためのデスク（好ましくは上部に）に２つのアンテナが設けられていてもよい。
【００１１】
伝達リンクは無線（電波方式）が好ましい。それはデーターの高速移送を可能にする。しかし、他の伝達リンク、赤外線方式等も可能である。
【発明を実施するための最良の形態】
【００１２】
以下好適な実施例に基づいて本発明をより詳細に説明する。
【実施例１】
【００１３】
図１及び図２は、適当なケーシング内の回転タブレットマシーン１０の概略図である。タブレットマシーン１０の詳細は示していない。ケーブル１４を介してタブレットマシーン１０に接続された制御キャビネット１２が別個の部材として設けられている。それは、ケーブル接続によって、タブレットマシーンへ電源を供給している。電気の主消費ユニットは、回転プレスのローターを駆動するモーターである。更に、ケーブル接続１４は、制御キャビネット１２の中にあり、特別なプログラムによる個々の機能に関するタブレットマシーンの操作を制御するマシンコンピューターからタブレットマシーンへデーターや命令信号を伝達するための１本又は複数の線を含んでいてもよい。
【００１４】
タブレット製造プラントは、サービスコンピューター、制御パネル及び緊急停止スイッチを持った制御デスク１６も有している。タブレットマシーンには、凹凸及び汚れ除去装置１８が接続されている。タブレットマシーンから排出されたタブレットは、包装前に凹凸及び汚れ除去装置１８に入る。その装置１８は、検査装置２０に連携されている。タブレットは、時々検査装置２０に導入され、そしてそこで個々の製造パラメーター、例えば、厚み、圧縮程度、重量、高さ等を検査される。最後に、別個のプリンター２２も設けられている。
【００１５】
制御デスク１６、凹凸及び汚れ除去装置１８、検査装置２０、プリンター２２は、それぞれバッテリーのような内部電源を有している。装置からバッテリーを外さずに充電できるように、それぞれの機器に充電器を有していることが望ましい。それぞれの機器の個々のバッテリーを充電するため別体の充電器を用いてもよい。
【００１６】
更に、タブレットマシーン１０は、トランシーバー（図示せず）も有している。複数のワイヤレスのデータ及び制御信号伝達リンクはこの方法で確立される。２つの伝達リンク３０、３２は、制御デスク１６とタブレットマシーン１０との間で設定される。１つは、制御デスクとタブレットマシーンとの間で双方向にデーターや制御信号を伝達するため、従来の装置においても用いられているワイヤで接続されている。２つめの伝達リンクは、制御デスク１６の緊急停止スイッチ（図示せず）の信号を伝達する。緊急停止スイッチの稼動は、操作する者が装置を直ちに停止させることができる。
【００１７】
図１では、制御デスク上で公知のケース内で一体的になっているプリンター２２は、別個に設けられているが、タブレットマシーンとは別の部屋に置いてもよい。また、プリンター２２と制御デスク１６の間はワイヤレス伝達３４で接続されている。最後に、タブレットマシーンは、一方で凹凸及び汚れ除去装置１８と、他方で検査装置２０とワイヤレス伝達リンク３６、３８で接続されている。トランシーバは、他の方法でもよいが、電波で操作するのが好ましい。
【００１８】
機器１６〜２２は、空間的にランダムに配置し、迷惑なケーブル接続はしていない。
【００１９】
図３では、制御デスク１６は大きい縮尺で描いている。該デスク１６は、ローラー４２の上に乗って、デスク４６を保持するはめ込み式支柱（テレスコピック支柱）４４を支持しているベース４０を有している。該デスク４６には、サービスコンピューターと制御パネルが設けられている。詳細は示していないが、ドライブ（駆動源）は、制御パネルを介して、該支柱４４の高さの変更を助ける。もし支柱のそれぞれの高さを記録しておけば、所望の高さに移動可能である。図３及び図４では、ベース４０内に収納されている制御デスク１６の電源のためのバッテリーの概観を想像線で描いている。アンテナを内包するアンテナ保護カバーは、制御パネルの上方に５０で示している。２つのアンテナは、２つのワイヤレスリンク３０、３２（図１）のために設けられている。
【００２０】
ワイヤレス伝達リンク３０、３４、３６、３８は、示されている方向に伝達するだけでなく無線ネットワークによって連結してもよい。
【図面の簡単な説明】
【００２１】
【図１】本発明プラントの概略平面図である。
【図２】本発明プラントの側面図である。
【図３】本発明プラントの側面図である。
【図１】
0004741810.tif 000002
【図２】
0004741810.tif 000003
【図３】
0004741810.tif 000004